(57)【特許請求の範囲】
【請求項１】
取付本体と、この取付本体に取り付けられるアームと、このアームに取り付けられるとともに、前記アームを格納する筒状の灯具と、を備え、
前記灯具の側面の外郭形状が、前記取付本体の側面の外郭形状と略同一であり、
前記灯具の側面の側には、前記灯具を前記アームに取り付けるための回動軸が配置されており、
前記アームの長さは、前記アームに取り付けられた前記灯具が回動することによって前記アームが前記灯具に格納されるとき、前記灯具の側面の外郭面が、前記取付本体の側面の外郭面とが略連続した面一形状となる長さであり、
前記灯具は、前記取付本体の側の位置かつ当該灯具の端部から奥まった位置に配置され、当該灯具に内蔵される機器の機能を調整する調整部を有することを特徴とする照明器具。
【請求項２】
前記アームが前記灯具に格納されるとき、前記灯具の側面の外郭面、前記取付本体の側面の外郭面及び前記アームの外郭面とが略連続した面一形状となることを特徴とする請求項１に記載の照明器具。
【請求項３】
前記アームは、当該アームが前記灯具に格納された状態で、前記取付本体に取り付けられた部分を軸に回転可能であることを特徴とする請求項１または請求項２に記載の照明器具。
【請求項４】
前記調整部は、当該照明器具の配光角を調整する調整機構であることを特徴とする請求項１〜３の何れか一項に記載の照明器具。
【発明の詳細な説明】
【技術分野】
【０００１】
本発明は、天井などに取り付けられる照明器具に関するものである。
【背景技術】
【０００２】
灯具の一方側に１本のアームで支持するスポットライトがある。（例えば、特許文献１〜３参照。）
【先行技術文献】
【特許文献】
【０００３】
【特許文献１】特開２０１５−２８８７２号公報
【特許文献２】特開２０１５−１３５７７６号公報
【特許文献３】特開２０１４−１４６５０３号公報
【発明の概要】
【発明が解決しようとする課題】
【０００４】
しかしながら、灯具を可動させるためのアームの可動機構の制約により、灯具のみ、アームのみ、または灯具とアームの形状については一体性を持たせた外観形状が提案・創作されているものの、アームが取り付けられる本体またはソケットと、灯具との形状は別々に創作されており、照明器具全体のデザインの一体性が保たれていなかった。
【０００５】
本発明は、上記のような課題を解決するためになされたもので、可動機構であるアームを灯具に格納できる構造とすることにより、灯具、アーム及び取付本体のデザインの一体性を持たせることを目的とする。
【課題を解決するための手段】
【０００６】
本発明の照明器具は、取付本体と、この取付本体に取り付けられるアームと、このアームに取り付けられるとともに、前記アームを格納する筒状の灯具と、を備え、前記灯具の側面の外郭形状が、前記取付本体の側面の外郭形状と略同一であり、前記灯具の側面の側には、前記灯具を前記アームに取り付けるための回動軸が配置されており、前記アームの長さは、前記アームに取り付けられた前記灯具が回動することによって前記アームが前記灯具に格納されるとき、前記灯具の側面の外郭面が、前記取付本体の側面の外郭面とが略連続した面一形状となる長さであり、
前記灯具は、前記取付本体の側の位置かつ当該灯具の端部から奥まった位置に配置され、当該灯具に内蔵される機器の機能を調整する調整部を有することを特徴とするものである。
【発明の効果】
【０００７】
本発明によれば、可動機構であるアームを灯具に格納できる構造とすることにより、灯具、アーム及び取付本体のデザインの一体性を持たせることができる。
【図面の簡単な説明】
【０００８】
【図１】実施の形態１の照明器具を示す斜視図である。
【図２】図１の照明器具を分解した状態を示す分解斜視図である。
【図３】図１の照明器具の４面を示す四面図であり、（ａ）は底面図、（ｂ）は正面図、（ｃ）は上面図、（ｄ）は側面図である。
【図４】図１の照明器具の灯具を可動させた場合を示す斜視図。
【図５】図４の照明器具の５面を示す五面図であり、（ａ）は底面図、（ｂ）は正面図、（ｃ）は上面図、（ｄ）は側面図、（ｅ）は背面図である。
【図６】図４の照明器具の灯具を可動させた他の場合を示す斜視図であり、（ａ）は発光部側から見た斜視図、（ｂ）は操作部側から見た斜視図である。
【図７】図６の照明器具の５面を示す五面図であり、（ａ）は底面図、（ｂ）は正面図、（ｃ）は上面図、（ｄ）は側面図、（ｅ）は背面図である。
【発明を実施するための形態】
【０００９】
実施の形態１.
本実施の形態では、電子機器の一例として、照明器具に適用した場合について説明する。
【００１０】
図１〜図３を用いて、本実施の形態の照明器具の構造について説明する。
照明器具１０００は、天井などの被取付部に取り付けられる取付本体１００と、この取付本体１００に取り付けられるアーム２００と、このアーム２００に取り付けられる灯具３００を有する。
【００１１】
取付本体１００は、被取付部に取り付けられる（固定される）取付具１１０と、この取付具１１０を覆うように取り付けられる取付カバー１２０を有する。
【００１２】
取付カバー１２０は、アーム２００が取り付けられるアーム取付孔１２１が形成される。なお、取付カバー１２０の側面を取付カバー外郭面１２２といい、その取付カバー外郭面１２２で形成された形状を外郭形状という。
【００１３】
アーム２００は、取付カバー１２０に回転可能に取り付けられる棒状のアーム本体２１０と、ワッシャー２２０と、ナット２３０を有する。
【００１４】
アーム本体２１０は、一端側にネジ切りされたネジ込み部２１１が形成され、他端側にアーム支持具挿入孔２１２が形成される。なお、アーム本体２１０の側面のうち照明器具１０００の外郭を形成する外郭面をアーム本体外郭面２１３といい、そのアーム本体外郭面２１３で形成された形状をアーム本体外郭形状という。
【００１５】
アーム本体２１０を取付カバー１２０に取り付ける具体的な手段について説明すると、ねじ込み部２１１は、ワッシャー２２０が挿入された状態で、アーム取付孔１２１に挿入され、さらに、ナット２３０にねじ込まれることで、アーム本体２１０が回転可能な状態で取付カバー１２０に固定される。
【００１６】
このアーム本体２１０は、一端側に回転可能に取付本体１００に取り付けられるとともに、他端側に灯具３００が回動可能に取り付けられる。
【００１７】
また、アーム本体２１０は、図示しないが、中空状となっており、取付本体１００から引き込まれた電線が、アーム本体２１０の中空部分に挿通されて灯具３００の内部に引き込まれる。そのため、アーム本体２１０の中空部分を介して電線が取付本体１００から灯具３００に引き込むようにしたので、照明器具１０００から電線が見えない（あるいは、アーム本体２１０と灯具３００との僅かな隙間に電線が露出する程度である）ため、照明器具１０００の意匠性が向上する。
【００１８】
なお、アーム本体２１０は、取付カバー１２０の取り付け面に対して軸回転（図１のＡ方向）するが、３６０°で回転を規制する回転規制機能を有している。この回転規制機構は、アーム本体２１０が３６０°以上回転（複数回転）されたとき、アーム本体２１０の内部に配線された電線（取付本体１００と灯具３００とを結線する電線）が、必要以上に捩れる恐れがあり、この電線が捩れによって断線されるなどの不具合が生じるのを防止するものである。
【００１９】
灯具３００は、灯具ユニット３１０と、この灯具ユニット３１０の内部に収められる電源ユニット３２０及び光源ユニット３３０と、を有する。
【００２０】
灯具ユニット３１０は、電源ユニット３２０と光源ユニット３３０を格納する灯具カバー３１１と、この灯具カバー３１１に内蔵されるアーム支持具３１２と、このアーム支持具３１２にアーム本体２１０を回転可能に締結する固定具３１３と、アーム支持具３１２を灯具ユニット３１０の内部に固定するアーム支持取付具３１４と、光源ユニット３３０の配光角を調整する調整部３１５と、灯具カバー３１１の内部に電源ユニット３２０、光源ユニット３３０、アーム支持具３１２及びアーム支持取付具３１４を格納した状態を保持するように、灯具カバー３１１の端部に取り付けられる操作側端部カバー３１６及び発光側端部カバー３１７と、を備える。
【００２１】
灯具カバー３１１は、円筒形状の筒部３１１ａと、筒部３１１ａの側壁部が突出した凸部３１１ｂを有する。なお、灯具カバー３１１の側面を灯具カバー外郭面３１１ｃといい、その灯具カバー外郭面３１１ｃで形成された形状を灯具カバー外郭形状という。
【００２２】
この灯具カバー３１１の灯具カバー外郭形状は、取付カバー１２０の取付カバー外郭形状とほぼ一致する。
灯具カバー３１１の筒部３１１ａは、灯具カバー３１１の内部に電源ユニット３２０、光源ユニット３３０、アーム支持取付具３１４の一部、調整部３１５、操作側端部カバー３１６及び発光側端部カバー３１７を格納する。
【００２３】
灯具カバー３１１の凸部３１１ｂは、アーム支持具３１２及びアーム支持取付具３１４の一部を格納する。
【００２４】
また、灯具カバー３１１の凸部３１１ｂは、アーム支持具３１２を格納するとともに回動させるために切り掛かれた切欠部３１１ｂａが形成される。
【００２５】
アーム支持具３１２は、棒状をなし、アーム本体２１０が格納される第一アーム格納部３１２ａが形成され、さらに、第一アーム格納部３１２ａには、固定具３１３が挿入されて、アーム本体２１０のアーム支持具挿入孔２１２に連通する支持具挿入孔３１２ｂが形成される。
【００２６】
固定具３１３は、支持ネジ３１３ａとナット３１３ｂとを有する。ネジ３１３ａがアーム支持具挿入孔２１２とアーム支持具挿入孔２１２に挿入され、ナット３１３ｂで締結される。このネジ３１３ａがアーム本体２１０が回動する際の回動軸となる。
【００２７】
なお、本実施の形態の固定具３１３は、ネジ３１３ａとナット３１３ｂである場合を説明するが、アーム本体２１０を回動可能に固定することができれば、別の部品であったり、別の機構であっても構わない。
【００２８】
アーム支持取付具３１４は、アーム支持具３１２が取り付けられるアーム支持具取付部３１４ａと、光源ユニット３３０を筒部３１１ａの内側に固定する光源ユニット固定部３１４ｂとを備える。
【００２９】
調整部３１５は、灯具カバー３１１の端部から奥まった位置に、操作部分であるダイアルが配置される。このように、灯具カバー３１１の筒部３１１ａの内側に調整部３１５を配置することによって、調整部３１５が灯具カバー３１１の端部から突出することがないので、意匠性が向上する。
【００３０】
操作側端部カバー３１６は、アーム支持具３１２の第一アーム格納部３１２ａと連なってアーム本体２１０を格納する第二アーム格納部３１６ａと、調整部３１５のダイアル部分が挿通する調整部挿通孔３１６ｂが形成される。
【００３１】
第二アーム格納部３１６ａは、第一アーム格納部３１２ａと連なった状態で、その格納部分が灯具カバー３１１の切欠部３１１ｂａより露出するように、灯具カバー３１１の内部に配置される。
【００３２】
なお、本実施の形態では、第一アーム格納部３１２ａと第二アーム格納部３１６ａを２つに分割した場合について説明するが、第一アーム格納部３１２ａと第二アーム格納部３１６ａは一体であってもよく、この場合、アーム支持具３１２または操作側端部カバー３１６に形成されていてもよく、また、筒部３１１ａの切欠部３１１ｂａに形成されていてもよい。
【００３３】
発光側端部カバー３１７は、光源ユニット３３０の発光部分が露出するように開口部３１７ａが形成され、アーム支持取付具３１４と接触してアーム支持取付具３１４を灯具カバー３１１の内部に固定する固定部３１７ｂが形成される。
【００３４】
電源ユニット３２０は、光源ユニット３３０に直流電力（又は交流電力）を供給する電源装置３２１と、この電源装置３２１を格納する電源ケース３２２とを有する。
電源ケース３２２は、底部３２２ａを有する有底形状の筒状のケースである。
【００３５】
光源ユニット３３０は、電源ケース３２２の底部３２２ａの外表面に取り付けられる光源取付具３３１と、この光源取付具３３１に取り付けられる光源３３２と、調整部３１５により電源ケース３２２に対して可動するユニット本体３３３と、このユニット本体３３３に取り付けられるレンズ３３４と、このレンズ３３４をユニット本体３３３に固定するレンズ押さえ具３３５と、を備える。
【００３６】
光源取付具３３１は、光源３３２の放熱を考慮して金属板であることが好ましいが、例えば光源３３２の放熱が十分である場合、光源取付具３１１は金属板であることに限定されず、光源３３２を電源ケース３２２の底部３２２ａへ固定するものであればよい。
【００３７】
光源３３２は、例えば、発光ダイオードや有機ＥＬである。なお、この実施の形態では、チップオンボード形ＬＥＤと、このチップオンボード形ＬＥＤを光源取付具３３１に固定するソケットからなる光源である。
【００３８】
ユニット本体３３３は、レンズ３３４を固定するレンズ固定部３３３ａと、電源ケース３２２の側面の外側を覆う可動支持部３３３ｂを備える。
【００３９】
可動支持部３３３ｂは、調整部３１５のダイアル部分を回転させることで、電源ケース３２２の側面を上下方向にスライドするように、調整部３１５に繋がっている。
【００４０】
レンズ３３４は、光源３３２から発せられた光を入射し、拡散または集光させて光を出射するものである。このレンズ３３４は、ユニット本体３３３のレンズ固定部３３３ａに取り付けられる。また、このレンズ３３４と光源３３２は、調整部３１５の操作部分であるダイアルをユーザーが回転操作させることにより、可動支持部３３３ｂがスライドして、互いの距離が調整される。つまり、レンズ３３４の入射部分と光源３３２の発光部分の距離が、長くまたは短くなるように調整される。このように、レンズ３３４と光源３３２との距離が調整されることにより、光源ユニット３００から得られる配光角が調整される（広くなる又は狭くなる。）。
【００４１】
レンズ押さえ具３３５は、レンズ３３４の出射部分に開口部３３５ａが形成され、レンズ３３４をレンズ固定部３３３ａに固定する固定部３３５ｂが形成される。
【００４２】
次に、アーム２００と灯具３００との構造について、さらに詳細に説明する。
アーム本体２１０の長さは、第１格納部３１２ａと第２格納部３１６ａとを合わせた長さ（但し、アーム本体２１０が回動するためのスペースを除く。）とほぼ等しいか、やや長い長さである。つまり、アーム本体２１０は、灯具３００の端部が取付本体１００に接触するような長さであり、アーム本体２１０が第１格納部３１２ａ及び第２格納部３１６ａに格納されたとき、灯具カバー３００の灯具カバー外郭面３１１ｃは、取付本体１００の取付カバー外郭面１２２と連続した面一形状とすることができる。
【００４３】
また、アーム本体２１０のアーム本体外郭面２１３は、アーム本体２１０が第１格納部３１２ａ及び第２格納部３１６ａに格納されるとき、灯具カバー３００の灯具カバー外郭面３１１ｃ及び取付本体１００の取付カバー外郭面１２２と略面一となる形状である。
【００４４】
また、アーム本体２１０と灯具カバー３１１と連結する軸部（固定具３１３）が、灯具カバー３１１の側面側（凸部３１１ｂ）に形成されているため、灯具３００は、偏心した状態でアーム本体２１０から吊り下がっており、灯具３００は固定具３１３を軸に回動することができる。
【００４５】
次に、本実施の照明器具１０００の灯具３００を可動させた場合について説明する。
【００４６】
例えば、図１に示す照明器具１０００のように、灯具３００は取付本体１００に対して斜め方向に傾けられて、壁面、床面や商品棚にディスプレイされた商品を照らしている。
【００４７】
この灯具３００は、アーム２００が回転することにより、取付本体１００（取付カバー１２０）の取付面に対して水平に回転（図１のＡ方向）させることができる。
【００４８】
次に、固定具３１３を軸にして灯具３００を回動（図３のＢ方向）して、取付本体１００の水平または直下方向に灯具３００を配置させるようにする（図４、図５参照。）。
【００４９】
このとき、取付本体１００の取付カバー外郭形状と灯具３００の灯具カバー外郭形状が略面一であり、また、アーム本体２１０の長さが取付本体１００と灯具３００との隙間がほとんど生じない長さであるため、取付本体１００と灯具３００とがあたかも一つの部品（一つの筒体）で構成されているかのような外観形状とすることができる。そのため、取付本体１００と灯具３００の外観形状は、連続的かつ一体的なデザインとすることができ、照明器具１０００の意匠性を向上させることができる。
【００５０】
また、灯具カバー３１１の操作側端部が取付本体１００に覆われた状態、つまり、取付本体１００が灯具カバー３１１の操作側端部の蓋の役割を果たすようになるので、操作側端部カバー３１３及び調整部３１５に埃が溜まり難くなる。さらに、操作側端部が取付本体１００によって覆われることで、外部から調整部３１５のダイアル部分を操作することができなくなるので、いたずら（意図しない操作）などにより、光源ユニット３３０の配光角が変更されることを防止することができる。
【００５１】
また、灯具カバー３１１の操作側端部を取付カバー１１０で蓋をすることができるので、埃が調整部３１５に溜まり難くなり、ユーザーが調整部３１５を操作する際、ユーザーの指が汚れにくくなり、また、調整部３１５の隙間に埃が詰まりにくいので、調整部３１５は、スムーズに回転できる状態に維持される。
【００５２】
次に、灯具３００を取付本体１００の直下に置いた状態（図４、図５参照。）で、アーム２００を回転させる（図４、図５のＣ方向（図１のＡ方向と同じ方向））と、灯具３００の筒部３１１ａは、取付本体２００とは重ならない状態（図６、図７参照。）、つまり、灯具カバー３１１の操作側端部が露出した状態（上述の灯具カバー３１１の操作部側端部の蓋が解除された状態）となる。そのため、取付本体１００を取り付ける天井などの被取付部と灯具カバー３１１の操作側端部との間に、取付本体１００の高さ分の隙間ができる。したがって、この取付本体１００の高さ分の隙間から指を挿入して、調整部３１５のダイアル部分を操作することができるので、被照射物の近傍を照射した状態で、光源ユニット３３０の配光角を変えることができる。そのため、ユーザーは、被照射物の近傍が照射された状態を確認しながら、調整部３１５のダイアル部分を操作することができるので、ユーザーは所望の配光角に容易に調整することができる。
【００５３】
なお、本実施の形態では、筒部３１１の筒部３１１ａと凸部３１１ｂの組み合わせた外郭形状について説明したが、取付本体１００の取付カバー外郭形状と、灯具３００の灯具カバー外郭形状とが略一致していればよいので、灯具３００の灯具カバー外郭形状は、筒部３１１の筒部３１１ａと凸部３１１ｂの組み合わせた外郭形状に限定されることがなく、筒形状や多角柱形状であってもよく、太鼓形状、円錐形状、多角錐形状などであってもよい。
【００５４】
また、本実施の形態では、照明器具である場合について説明したが、照明器具以外でも応用することができ、例えば、灯具に相当する部分が防犯カメラの機能を有していたり、プロジェクタの投影部の機能を有していたりする電子機器であってもよい。
【符号の説明】
【００５５】
１０００  照明器具、１００  取付本体、１１０  取付具、１２０  取付カバー、１２１  アーム取付孔、１２２  取付カバー外郭面、２００  アーム、２１０  アーム本体、２１１  ネジ込み部、２１２  アーム支持具挿入孔、２１３  アーム本体外郭面、２２０  ワッシャー、２３０  ナット、３００  灯具、３１０  灯具ユニット、３１１  灯具カバー、３１１ａ  筒部、３１１ｂ  凸部、３１１ｂａ  切欠部、３１１ｃ  灯具カバー外郭面、３１２  アーム支持具、３１２ａ  第一アーム格納部、３１２ｂ  支持具挿入孔、３１３  固定具、３１３ａ  ネジ、３１３ｂ  ナット、３１４  アーム支持取付具、３１４ａ  アーム支持具取付部、３１４ｂ  光源ユニット固定部、３１５  調整部、３１６  操作側端部カバー、３１６ａ  第二アーム格納部、３１６ｂ  調整部挿通孔、３１７  発光側端部カバー、３１７ａ  開口部、３１７ｂ  固定部、３２０  電源ユニット、３２１  電源装置、３２２  電源ケース、３２２ａ  底部、３３０  光源ユニット、３３１  光源取付具、３３２  光源、３３３  ユニット本体、３３３ａ  レンズ固定部、３３３ｂ  可動支持部、３３４  レンズ、３３５  レンズ押さえ具、３３５ａ  開口部、３３５ｂ  固定部。
【図１】
0006746956.tif 000002
【図２】
0006746956.tif 000003
【図３】
0006746956.tif 000004
【図４】
0006746956.tif 000005
【図５】
0006746956.tif 000006
【図６】
0006746956.tif 000007
【図７】
0006746956.tif 000008